(57)【要約】      （修正有）【課題】映像選択状態である時にＡＦを連続的に実行する場合、カメラマンの意図しない被写体へ合焦してしまうことを防止する撮像装置を提供する。【解決手段】オートフォーカス機能を備えたレンズ装置１００に、レンズ装置の撮影中状態を示す信号を入力する撮影状態入力手段を設ける。そして、撮影状態入力手段からの入力信号が非選択状態であると判断した場合は、現在の合焦点を基準として、第１の焦点範囲をフォーカスレンズ１０６の可動範囲とする。また、撮影状態入力手段からの入力信号が映像選択状態である場合は、現在の合焦点を基準として、第1の焦点範囲よりも狭い第２の焦点範囲をフォーカスレンズ１０６の可動範囲とする。【選択図】図１
2011091664.tif 000002
【特許請求の範囲】
【請求項１】
焦点調整を行う可動光学部材と、１つ以上の合焦検出領域を持つ合焦検出手段と、
前記合焦検出手段からの合焦情報より前記可動光学部材を駆動し合焦状態とする制御手段と、
外部から撮影状態を入力する撮影状態入力手段とを、有する撮像装置であって、
撮影状態入力手段からの入力信号が非選択状態である時、
前記制御手段は現在の合焦点を基準として第１の焦点範囲を可動範囲とし、
撮影状態入力手段からの入力信号が映像選択状態である時は、
前記制御手段は現在の合焦点を基準に第１より狭い第２の焦点範囲を可動範囲とする
ことを特徴とする撮像装置。
【請求項２】
撮影状態入力手段からの入力信号が非選択状態である時、
前記制御手段は現在の焦点状態検出領域を基準として第１の領域を焦点状態検出領域とし、
撮影状態入力手段からの入力信号が映像選択状態である時は、
前記制御手段は現在の焦点状態検出領域を基準に第１より狭い第２の領域を焦点状態検出領域とする
ことを特徴とする請求項１記載の撮像装置。
【請求項３】
前記撮影状態入力手段からの入力信号は、タリー信号であることを特徴とする請求項１又は請求項２記載の撮像装置。
【請求項４】
撮影状態入力手段からの入力信号が非選択状態である時、前記制御手段は第１の速度で焦点調節を行い、
撮影状態入力手段からの入力信号が映像選択状態である時、前記制御手段は第１より遅い第２の速度で焦点調節を行う
ことを特徴とする請求項１又は請求項２記載の撮像装置。
【発明の詳細な説明】
【技術分野】
【０００１】
本発明は、オートフォーカス機能を有する撮像装置に関する。
【背景技術】
【０００２】
放送用途に用いられる映像コンテンツの高精細化に伴い、テレビカメラシステムで使用される撮影レンズやカメラ本体の性能が非常に高くなってきた。一方で、カメラマンがビューファインダの画像を参考に肉眼でマニュアルピント調整を行うのでは、速度面および精度面で不十分な状況が生じた。そのため、従来のマニュアルフォーカス（以下ＭＦ）方式に加え、オートフォーカス（以下ＡＦ）機能に対するニーズが高まり、ＡＦ機能を持った放送用カメラやレンズが登場した。放送用途としてＡＦ機能を実現するためには、高精度なピント検出が不可欠である。また、ＡＦにより高精度な焦点調節を行うためには、ピント面の位置を被写界深度内に制御する必要がある。被写界深度とは、ピントを合わせた点の前後のある範囲内において、ピントが合っているように見える範囲のことである。被写界深度は、レンズが持つ許容錯乱円δと、焦点距離f、絞り値Fno、フォーカス距離Ｌにより決まることが知られている。距離Ｌにフォーカスを合わせた場合、距離Ｌよりも遠方でピントの合う距離Ｄ１を後方被写界深度、手前側でピントの合う距離Ｄ２を前方被写界深度といい、それぞれ（１）式および（２）式で与えられる。被写界深度は両者を合わせた範囲Ｄ１＋Ｄ２となる。
【０００３】
後方被写界深度 Ｄ1＝δ・Ｆno・Ｌ2 ／（ｆ2 −δ・Ｆno・Ｌ）    （１）
前方被写界深度 Ｄ2＝δ・Ｆno・Ｌ2 ／（ｆ2 ＋δ・Ｆno・L）    （２）
ところで、ＡＦの方式として、コントラスト方式、位相差検出方式、外測方式等が挙げられる。特許文献１記載のコントラスト方式は、撮像素子から得られた映像信号のうちある画面領域内の映像信号の高周波成分を積算して焦点評価値を生成し、その焦点評価値が最大となるようにピント調整を自動で行うものである。これによって、撮像素子で撮像された画像の鮮鋭度が最大となる最良ピントが得られることが知られている。
【０００４】
特許文献２に記載の位相差検出方式は、撮影レンズの異なる射出瞳領域を通過した被写体からの光束を、一対のラインセンサ上に結像させ、被写体像を光電変換して得られた一対の像信号の相対位置変位量を求めて被写体のデフォーカス量を直接算出する。これに基づいて合焦のための焦点調節レンズの駆動が行われるため、合焦を素早く行うことができるのが特徴であった。よって、放送用途に位相差方式によるＡＦシステムを適用した場合、従来のＭＦと比較し、次のシーン作りを素早く行うことができる利点があった。
【先行技術文献】
【特許文献】
【０００５】
【特許文献１】特開２００２−３６５５１７号公報
【特許文献１】特開平９−２７４１３０号公報
【発明の概要】
【発明が解決しようとする課題】
【０００６】
しかしながら、放送用途で用いられる映像は公共性が高く、映像品質として高品質なものが求められる。すなわち、放送される映像の中に、例えば大きくピントがボケているような箇所があることは放送上問題となる。特に、生放送を行う撮影現場で放送中に大きくピントボケが発生してしまった場合、放送上支障をきたすこととなる。また、ＡＦ機能を持った放送用レンズによって連続的にＡＦを行う際、選択している合焦状態検出エリア内に現在合焦している被写体とは別の被写体が入ってきた場合、カメラマンの意図に反して別の被写体に合焦してしまう恐れがある。
【０００７】
図１５は、ある撮影画像の例を示したものである。被写体Ａと被写体Ｂに対し、ＡＦ対象とする画面領域を図１５のように設定している。いま、被写体Ｂにフォーカスを合わせているとすると、同じ画面領域内に存在する被写体Ａに合焦する可能性がある。このとき、各被写体に対するレンズからの距離の差が被写界深度よりも広い範囲であった場合、被写体Ｂから被写体Ａに合焦することによって、被写体Ｂはボケてしまうこととなる。ところで、撮影スタジオを代表とする主な撮影現場では、複数のカメラが用いられることが一般的である。各カメラは常に撮影中であり、撮影される各映像信号はスイッチャーを代表とする映像選択装置に入力される。そして映像選択装置によって、撮影される複数の映像からひとつの映像を選択し出力することで生放送や録画が行われる。生放送や録画が行われている際、選択している映像信号を送出しているカメラに対し、映像が選択されている状態であることを知らしめる機能がある。このように、撮影現場では、映像選択状態である場合、放送上支障をきたす可能性のある撮影場面が多々存在する。
【０００８】
ＡＦ使用中に映像選択状態に移行する場合は、カメラマンの手動操作によりＡＦからＭＦに切り替えを行っても良いが、煩雑な手間を要する。さらに、映像選択状態への移行は、カメラマンとは別の操作者やシステムが行っているため、カメラマン自身は映像選択状態となるタイミングを事前に判断することができない。つまり、カメラマン自身が操作してＶＴＲや録画となるスタンドアロンなシステムとは異なるのが特徴である。よって、カメラマンの負担を軽減するために、映像選択状態ではない場合と映像選択状態である場合にそれぞれ適したＡＦ機能が実現されていることが望ましい。
【０００９】
そこで、本発明の目的は、映像選択状態である時にＡＦを連続的に実行する場合、カメラマンの意図しない被写体へ合焦してしまうこと防止する撮像装置を提供することにある。
【課題を解決するための手段】
【００１０】
上記目的を達成するために、焦点調整を行う可動光学部材と、１つ以上の合焦検出領域を持つ合焦検出手段と、前記合焦検出手段からの合焦情報より前記可動光学部材を駆動し合焦状態とする制御手段と、外部から撮影状態を入力する撮影状態入力手段とを、有する撮像装置であって、撮影状態入力手段からの入力信号が非選択状態である時、前記制御手段は現在の合焦点を基準として第１の焦点範囲を可動範囲とし、撮影状態入力手段からの入力信号が映像選択状態である時は、前記制御手段は現在の合焦点を基準に第１より狭い第２の焦点範囲を可動範囲とすることを特徴としている。
【００１１】
本発明の更なる目的又はその他の特徴は、以下、添付の図面を参照して説明される好ましい実施例等によって明らかにされるであろう。
【発明の効果】
【００１２】
本発明によれば、映像選択状態である時に意図しない被写体に誤って合焦してしまうことを低減することが可能である。また、カメラマンが意識することなく、映像選択状態および非選択状態にそれぞれ適したＡＦ動作を行うことが可能となる。
【図面の簡単な説明】
【００１３】
【図１】第１実施例の撮像装置構成図。
【図２】第１実施例の撮像装置概略フローチャート。
【図３】第１実施例のＡＦ処理フローチャート。
【図４】フォーカス駆動範囲の設定例。
【図５】フォーカス駆動範囲の設定例（イラスト）。
【図６】第１実施例のＭＦ処理フローチャート。
【図７】第1実施例の撮像装置構成図（他の例）。
【図８】第2実施例の撮像装置概略フローチャート。
【図９】第2実施例のＡＦ処理フローチャート。
【図１０】第2実施例の画面領域ＡＲＥＡ−ＣＯＮＴの更新処理フローチャート。
【図１１】撮影画像と画面領域設定例（非選択状態）。
【図１２】撮影画像と画面領域設定例（映像選択状態移行時）。
【図１３】撮影画像と画面領域設定例（焦点距離変更時）。
【図１４】撮影画像と画面領域設定例（画面領域設定後）。
【図１５】撮影画像の例。
【発明を実施するための形態】
【００１４】
以下に、本発明の実施の形態を添付の図面に基づいて詳細に説明する。
【実施例１】
【００１５】
（ＡＦフォーカスレンズ駆動範囲制限（距離制限））
（全体ブロック図説明）
図１は、本発明を適用可能な第1の実施例における撮像装置の構成図である。１００はオートフォーカス機能付きのレンズ装置である。２００はカメラ装置である。また、３００は映像選択情報送出手段である。レンズ装置１００はカメラ装置２００に対し着脱可能であり、カメラ装置２００の内部にある不図示の撮像素子から映像を取り出すことが可能である。
【００１６】
１０１はレンズ装置１００に接続され、操作量に応じたフォーカス位置制御信号を出力するフォーカス指定手段である。フォーカス指定手段１０１の使用例として、フォーカスデマンドが挙げられる。１０２は、１００で撮影した画面内の複数のポイントにおいて、合焦状態を検出することが可能である合焦状態検出手段である。合焦状態検出手段１０２の例として、位相差センサや外測センサ等が挙げられる。１０３はレンズ装置１００のオートフォーカス機能をＯＮ／ＯＦＦするためのＡＦスイッチである。１０４は撮影画面内において合焦状態を検出する範囲を設定するための合焦範囲設定手段である。
【００１７】
１０５は撮像装置で撮影された映像が映像選択状態であることを表示するための映像選択状態表示手段である。映像選択状態表示手段１０５の例として、タリーランプが挙げられる。タリーランプの役割について簡単に説明する。放送用レンズ・カメラが使用されるテレビスタジオでは、一般的に複数台の放送用レンズ・カメラを使用して撮影を行っている。その際に、タリーランプを点灯させることにより、撮影被写体となる出演者に対して、どの放送用レンズ・カメラで撮影されている映像が選択されているかを知らしめる役割を担っているものである。この映像選択状態を撮影装置に対し送出するのが映像選択情報送出手段３００である。映像選択情報送出手段３００の例として、タリースイッチが挙げられる。映像選択情報送出手段３００であるタリースイッチからの映像選択情報は、カメラ装置２００を経由してレンズ装置１００へ入力される。
【００１８】
１０６は可動光学部材であるフォーカスレンズ、１０７はフォーカスレンズ１０６を駆動するための駆動手段である。駆動手段１０７は、不図示のアクチュエータや駆動回路、Ｄ／Ａコンバータ等から構成されるものである。１０８はフォーカスレンズ１０６の位置検出手段である。位置検出手段１０８は、不図示のエンコーダとエンコーダ出力をカウントするカウンタから構成されるものである。また、エンコーダとカウンタの代わりにポテンショメータを用いても良い。図２ではフォーカスレンズ１０６のみについて記しているが、その他不図示のアイリス機構、ズームレンズ群についても同一の構成を有している。１０９はフォーカス指定手段１０１からの出力および合焦状態検出手段１０２の出力等を用いてフォーカス制御信号を生成するためのフォーカス制御手段である。１１０は、フォーカスレンズ１０６やＡＦの画面領域の範囲を設定するための駆動制限量設定手段である。
【００１９】
AFスイッチ１０３および合焦範囲設定手段１０４はフォーカス指定手段１０１内に構成しても良い。
【００２０】
（オートフォーカス処理のフローチャート説明）
図２は、本実施例における撮像装置の一連動作の概略を示すフローチャートである。以下に図２のフローチャートに沿って、撮像装置の動作の概略を説明する。
【００２１】
レンズ装置１００に電源が投入されると、Ｓ１０１にすすみフォーカス制御手段１０９の内部レジスタやフォーカス指定手段１０１との通信用バッファなどの初期化動作を行う。次に、Ｓ１０２でフォーカス指定手段１０１よりフォーカス指定手段１０１の操作量に応じたフォーカスコントロールデータＭＦ−ＣＯＮＴを入力する。
【００２２】
Ｓ１０３では、合焦範囲設定手段１０４により合焦状態を検出する画面領域を入力する。合焦範囲設定手段１０４によって、撮影画面内の任意の領域に対して、合焦状態を検出する画面領域を設定することが可能である。
【００２３】
次にＳ１０４で、位置検出手段１０８から現在のフォーカスレンズ１０６の位置に相当するデータＦＯＣＵＳ−ＰＯＳを入力する。同様に、不図示のアイリス機構の位置ＩＲＩＳ−ＰＯＳ、ズームレンズ群の位置ＺＯＯＭ−ＰＯＳを入力する。
【００２４】
Ｓ１０５では、フォーカス制御データＦＯＣＵＳ−ＣＯＮＴの値をフォーカス制御データバッファＦＯＣＵＳ−ＢＵＦにコピーし、Ｓ２０１に進む。
【００２５】
次にＳ２０１においてＡＦスイッチ１０３の状態を判断し、ＡＦモードに設定されている場合はＳ１０７に進み、ＭＦモードに設定されている場合はＳ１０８に進む。
【００２６】
Ｓ１０７では、映像選択情報送出手段３００からの入力内容に応じたＡＦ処理１を行い、フォーカスレンズ１０６の目標位置を算出する。Ｓ１０８では、Ｓ１０２で入力したＭＦ−ＣＯＮＴをフォーカスレンズ１０６の目標位置として設定するＭＦ処理を行う。Ｓ１０７およびＳ１０８の詳細は後述する。
【００２７】
Ｓ１０９では、Ｓ１０３で入力した画面領域を表示する。Ｓ１１０では、Ｓ２０１およびＳ１０７で算出された目標位置となるように、駆動手段１０７よりフォーカスレンズ１０６を駆動する。そして、Ｓ１０２へ戻る。以上の処理を、レンズ装置１００の電源が投入されている間は繰り返して行う。
【００２８】
（Ｓ１０７  ＡＦ処理１のフローチャート説明）
図３は、図３のＳ１０７ＡＦ処理１の詳細を示したフローチャートである。以下に図３のフローチャートに沿って、Ｓ１０７のＡＦ処理１の詳細を説明する。
【００２９】
Ｓ２０１では、映像選択情報送出手段３００の状態を判断するステップであり、具体的にはタリースイッチの入力状態を判断する。映像選択情報送出手段３００であるタリースイッチ入力がＯＦＦの場合、つまりレンズ装置１００で撮影した映像が非選択状態である場合は、Ｓ２１０にすすみ、映像選択状態表示手段１０５であるタリーランプを消灯し、Ｓ２１１にすすむ。Ｓ２１１では、撮影映像が非選択状態である場合のフォーカス駆動範囲演算係数ＬＩＭ−Ａを駆動制限量設定手段１１０から読み込み、バッファＬＩＭに設定し、Ｓ２０４にすすむ。
【００３０】
またＳ２０１において、映像選択情報送出手段３００であるタリースイッチ入力がＯＮの場合、つまりレンズ装置１００が映像選択状態である場合は、Ｓ２０２で映像選択状態表示手段１０５を点灯する。そしてＳ２０３にすすみ、映像選択状態である時のフォーカス駆動範囲演算係数ＬＩＭ−Ｂを駆動制限量設定手段１１０から読み込み、バッファＬＩＭに設定し、Ｓ２０４にすすむ。
【００３１】
Ｓ２０４では、図２のＳ１０４で入力したＩＲＩＳ−ＰＯＳおよびＺＯＯＭ−ＰＯＳから、式（１）を用いて前方被写界深度Ｄ１および後方被写界深度Ｄ２を算出する。そして、ＬＩＭと被写界深度Ｄ１およびＤ２の値に応じた関数ｆ（ＬＩＭ，Ｄ）によって、フォーカス駆動範囲制限量ＭＯＤおよびＩＮＦを演算する。ＬＩＭおよびＤ１、Ｄ２とＭＯＤ、ＩＮＦの関係を（３）式および（４）式に示す。ＬＩＭの値がＬＩＭ−Ａ、ＬＩＭ−Ｂによって、ＩＮＦ−ＡやＭＯＤ−Ａ、ＩＮＦ−ＢやＭＯＤ−Ｂが算出される。
【００３２】
ＩＮＦ＝ｆ（ＬＩＭ，Ｄ１）                                （３）
ＭＯＤ＝ｆ（ＬＩＭ，Ｄ２）                                （４）
図３のフローチャートの説明に戻る。Ｓ２０５で、合焦範囲設定手段１０４によって選択された画面領域に対応する合焦状態検出手段１０２から、ＡＦ評価値を入力する。次に、Ｓ２０６ではＡＦ評価値に基づいて、被写体に合焦させるためのフォーカスコントロールデータＡＦ−ＣＯＮＴを演算する。
【００３３】
Ｓ２０７では、フォーカス制御データＦＯＣＵＳ−ＣＯＮＴに、Ｓ２０６で演算したＡＦ−ＣＯＮＴを設定する。このようにＡＦスイッチ１０３がＡＦモードに設定している場合は、合焦状態検出手段１０２の出力から演算したフォーカスコントロールデータＡＦ−ＣＯＮＴを用いることにより、常に被写体を合焦状態とするＡＦ機能を実現している。
【００３４】
Ｓ２０８では、フォーカス制御用データＦＯＣＵＳ−ＣＯＮＴが至近側のフォーカス駆動範囲制限データ値ＭＯＤ−ＬＩＭ以下かどうか、又は、フォーカス制御用データＦＯＣＵＳ−ＣＯＮＴが無限側のフォーカス駆動範囲制限データ値ＩＮＦ−ＬＩＭ以上かどうかを判断する。Ｓ２０８において、いずれかが真である場合は、Ｓ２０９に進む。
【００３５】
Ｓ２０９では、フォーカス制御用データＦＯＣＵＳ−ＣＯＮＴをフォーカス制御用バッファＦＯＣＵＳ−ＢＵＦの値に置き換え、本ＡＦ処理を終了する。このように、ＦＯＣＵＳ−ＣＯＮＴがＭＯＤ−ＬＩＭからＩＮＦ−ＬＩＭの範囲外となった場合は、図２のＳ１０５でＦＯＣＵＳ−ＢＵＦに退避させた１周期前のＦＯＣＵＳ−ＣＯＵＮＴを目標値として再設定する。これにより、現在の合焦している被写体（図５の被写体Ｂ）以外の被写体（図５の被写体Ａ）に合焦する可能性を低くすることが可能となる。
【００３６】
一方、Ｓ２０８においてフォーカス制御用データＦＯＣＵＳ−ＣＯＮＴが無限側のフォーカス駆動範囲制限データ値ＩＮＦ−ＬＩＭよりも小さく、フォーカス制御用データＦＯＣＵＳ−ＣＯＮＴが無限側のフォーカス駆動範囲制限データ値ＭＯＤ−ＬＩＭよりも大きい場合、本ＡＦ処理を終了する。
【００３７】
図４は、本実施例におけるフォーカスレンズ１０６の現在位置と駆動範囲との関係を示した図である。本実施例では、フォーカス駆動範囲制限量ＭＯＤ−ＡとＭＯＤ−Ｂ、ＩＮＦ−ＡとＩＮＦ−Ｂは、それぞれ（５）式および（６）式の関係が成り立つように設定している。また、（７）式および（８）式を用いて、フォーカス駆動範囲制限位置ＭＯＤ−ＬＩＭおよびＩＮＦ−ＬＩＭを演算する。ただし、ＭＯＤ−ＬＩＭおよびＩＮＦ−ＬＩＭは、（９）式および（１０）式を満たすものとし、条件を満たさない場合は、ＭＯＤ−ＬＩＭに至近端位置を設定し、ＩＮＦ−ＬＩＭに無限端位置を設定するものとする。また、ＭＯＤにＭＯＤ−Ａ、ＩＮＦにＩＮＦ−Ａが設定されている場合は、ＭＯＤ−ＬＩＭを至近端位置、ＩＮＦ−ＬＩＭに無限端位置をそれぞれ設定しても良い。
【００３８】
ＭＯＤ−Ａ≧ＭＯＤ−Ｂ                                  （５）
ＩＮＦ−Ａ≧ＩＮＦ−Ｂ                                  （６）
ＭＯＤ−ＬＩＭ＝ＦＯＣＵＳ−ＰＯＳ−ＭＯＤ              （７）
ＩＮＦ−ＬＩＭ＝ＦＯＣＵＳ−ＰＯＳ＋ＩＮＦ              （８）
ＭＯＤ−ＬＩＭ≧（至近端位置）                          （９）
ＩＮＦ−ＬＩＭ≦（無限端位置）                          （１０）
したがって、図４に示すように映像選択情報送出手段３００がＯＮの場合に設定される駆動範囲Ｂは、映像選択情報送出手段３００がＯＦＦの場合に設定される駆動範囲Ａよりも狭い範囲となる。図５は被写体Ｂに合焦している場合の撮影イメージを示したものである。このように映像選択情報送出手段３００がＯＮの場合にフォーカス駆動範囲をより狭い範囲に制限することにより、合焦状態を検出する画面領域内に被写体Ａが入っていたとしても、現在合焦している被写体（図５の被写体B）以外の被写体（図５の被写体A）に合焦する可能性を低くすることが可能となる。
【００３９】
（Ｓ２０１  ＭＦ処理のフローチャート説明）
図６は、図２のＳ１０８ＭＦ処理の詳細を示したフローチャートである。以下に図６のフローチャートに沿って、Ｓ１０８のＭＦ処理の詳細を説明する。
【００４０】
Ｓ３０１では、映像選択情報送出手段３００であるタリースイッチの状態を判断する。映像選択情報送出手段３００であるタリースイッチがＯＦＦの場合、つまりレンズ装置１００で撮影した映像が非選択状態である場合はＳ３０３にすすみ、映像選択状態表示手段１０５であるタリーランプを消灯し、Ｓ３０４にすすむ。一方、Ｓ３０１において、映像選択情報送出手段３００であるタリースイッチがＯＮの場合、つまりレンズ装置１００が映像選択状態である場合は、Ｓ３０２で映像選択状態表示手段１０５であるタリーランプを点灯する。つづいてＳ３０４では、駆動範囲演算係数ＬＩＭ−Ｍを駆動制限量設定手段１１０から読み込み、バッファＬＩＭに設定し、Ｓ３０５にすすむ。
【００４１】
Ｓ３０５では、図３のＳ２０４と同様の処理を行う。ただし、ＭＯＤ−ＬＩＭは至近端、ＩＮＦ−ＬＩＭは無限端とする。
【００４２】
次にＳ３０６に進む。Ｓ３０６ではフォーカス制御データＦＯＣＵＳ−ＣＯＮＴに、図２のＳ１０２でフォーカス指定手段１０１から入力したＭＦ−ＣＯＮＴを設定する。このようにＡＦスイッチ１０３がＭＦモードに設定している場合は、フォーカス指定手段１０１により手動でフォーカスレンズ１０６を操作するＭＦ機能を提供する。
【００４３】
つづいてＳ３０７では、フォーカス制御用データＦＯＣＵＳ−ＣＯＮＴが至近側のフォーカス駆動範囲制限データ値ＭＯＤ−ＬＩＭ以下かどうか判断する。フォーカス制御用データＦＯＣＵＳ−ＣＯＮＴが至近側のフォーカス駆動範囲制限データ値ＭＯＤ−ＬＩＭ以下の場合は、Ｓ３０８にすすむ。Ｓ３０８では、フォーカス制御用データＦＯＣＵＳ−ＣＯＮＴをＭＯＤ−ＬＩＭの値に置き換え、本ＭＦ処理を終了する。
【００４４】
またＳ３０７においてフォーカス制御用データＦＯＣＵＳ−ＣＯＮＴが至近側のフォーカス駆動範囲制限データ値ＭＯＤ−ＬＩＭより大きい場合は、Ｓ３０９にすすむ。Ｓ３０９では、フォーカス制御用データＦＯＣＵＳ−ＣＯＮＴが無限側のフォーカス駆動範囲制限データ値ＩＮＦ−ＬＩＭ以上かどうか判断する。フォーカス制御用データＦＯＣＵＳ−ＣＯＮＴが無限側のフォーカス駆動範囲制限データ値ＩＮＦ−ＬＩＭ以上の場合は、Ｓ３１０にすすむ。Ｓ３１０では、フォーカス制御用データＦＯＣＵＳ−ＣＯＮＴをＩＮＦ−ＬＩＭの値に置き換え、本ＭＦ処理を終了する。一方、Ｓ３０９においてフォーカス制御用データＦＯＣＵＳ−ＣＯＮＴが無限側のフォーカス駆動範囲制限データ値ＩＮＦ−ＬＩＭより小さい場合は何もせず、本ＭＦ処理を終了する。このように、ＦＯＣＵＳ−ＣＯＮＴがＭＯＤ−ＬＩＭからＩＮＦ−ＬＩＭの範囲外となった場合は、Ｓ３０８やＳ３１０でＭＯＤ−ＬＩＭからＩＮＦ−ＬＩＭの範囲内となるようにＦＯＣＵＳ−ＣＯＮＴの目標値を再設定する。
【００４５】
（まとめ）
以上のように、ＡＦモードの時で映像選択情報送出手段３００がＯＮの場合は、映像選択情報送出手段３００がＯＦＦの場合よりもフォーカスレンズ１０６の駆動範囲を狭くし、駆動範囲外のフォーカス制御データを無効とすることにより、意図しない被写体に合焦することを低減することができる。また、本実施例で示した合焦状態検出手段１０２の例である位相差センサや外測センサ以外に、映像信号による合焦検出手段を用いても良い。図７は、映像信号による合焦検出手段を用いた場合の構成図である。２０１は、カメラ装置の内部に構成され、レンズ装置１００に対し映像信号を出力する撮像信号出力手段である。撮像信号出力手段２０１から出力した映像信号を合焦状態検出手段１０２に入力することにより、コントラスト方式のＡＦを用いて、本実施例１の処理を行うことにより、同様の効果が得られる。
【００４６】
また、撮影装置が映像選択状態である場合と非選択状態である場合によって、フォーカスレンズ１０６の駆動する速度を可変にしても良い。具体的には、撮影装置が非選択状態である時のフォーカスレンズ１０６の駆動速度に対し、映像選択状態である時のフォーカスレンズ１０６の駆動速度を遅く設定することにより、カメラマンが意図しない被写体に対し素早く合焦してしまう可能性を低くすることが可能となる。
【００４７】
以上、本発明を実施することにより、カメラマンが映像選択状態を意識することなく、映像選択状態および非選択状態それぞれに適したオートフォーカス動作を行うことが可能となる。
【実施例２】
【００４８】
（ＡＦ枠大きさ可変・切替の説明）
実施例２の構成図は図１と同一の構成である。また、コントラスト方式のＡＦシステムにより、本実施例を適用する場合の構成図は、図７と同一の構成となる。
【００４９】
図８は、本実施例におけるレンズ装置１００の一連の動作概略である。レンズに電源が投入されると、図２で示したＳ１０１、Ｓ１０２と同様の処理を実行し、Ｓ４０１にすすむ。
【００５０】
Ｓ４０１では、合焦範囲設定手段１０４により画面領域パラメータＡＲＥＡ−ＰＯＳを入力し、Ｓ１０４にすすむ。つづいて、図８のＳ１０４およびＳ１０５を行う。Ｓ１０４およびＳ１０５は図２で示した処理と同様である。
【００５１】
次にＳ２０１においてＡＦスイッチ１０３の状態を判断し、ＡＦモードに設定されている場合はＳ４０２に進み、ＭＦモードに設定されている場合はＳ１０８に進む。Ｓ４０２では、映像選択情報送出手段３００からの入力内容に応じて画面領域の設定を変更した後にＡＦ処理２を行い、フォーカスレンズ１０６の目標位置を算出する。Ｓ１０８は前述の通りである。Ｓ４０２の詳細は後述する。
【００５２】
Ｓ１０９では、前述同様に画面領域を表示し、Ｓ１１０では、フォーカスレンズ１０６を駆動する。そして、Ｓ１０２へ戻る。以上の処理を、レンズ装置１００の電源が投入されている間は繰り返して行う。
【００５３】
図１１に画面領域の範囲設定例を示す。いま図１１のように画面領域が設定されており、ＡＲＥＡ−ＰＯＳには、画面領域の中心座標（ＰＯＳ−Ｘ，ＰＯＳ−Ｙ）と、画面領域の広さを示すパラメータ（Ａ，ＫＡ）が含まれている。Ａは画面領域の縦の長さを示し、ＫＡは画面領域の横の長さを示す。ここで、Ｋは定数であり、以下の式（１１）が成立する。
【００５４】
Ａ／ＫＡ＝１／Ｋ（定数）                                （１１）
（Ｓ４０２  ＡＦ処理２のフローチャート説明）
図９は、図８ＡＦ処理フローチャートのＳ４０２ＡＦ処理２の詳細を示したものである。
【００５５】
Ｓ２０１では、映像選択情報送出手段３００であるタリースイッチの状態を判断する。映像選択情報送出手段３００がＯＦＦの場合、つまりレンズ装置１００で撮影した映像が非選択状態である場合は、Ｓ２１０にすすみ、映像選択状態表示手段１０５であるタリーランプを消灯し、Ｓ２１１にすすむ。Ｓ２１１では、撮影映像が非選択状態である場合のフォーカス駆動範囲演算係数ＬＩＭ−Ａを駆動制限量設定手段１１０から読み込み、バッファＬＩＭに設定し、Ｓ５０２にすすむ。Ｓ５０２では、画面領域コントロールデータＡＲＥＡ−ＣＯＮＴにＡＲＥＡ−ＰＯＳを設定し、Ｓ２０４にすすむ。画面領域コントロールデータＡＲＥＡ−ＣＯＮＴは、画面領域パラメータＡＲＥＡ−ＰＯＳと同様に、画面領域の目標中心座標（Ｘ，Ｙ）と、画面領域の大きさを示すパラメータ（ＳＩＺＥ−ＣＯＮＴ−Ｘ，ＳＩＺＥ−ＣＯＮＴ−Ｙ）が含まれている。
【００５６】
またＳ２０１において、映像選択情報送出手段３００であるタリースイッチがＯＮの場合、つまりレンズ装置１００が映像選択状態の時は、Ｓ２０２で映像選択状態表示手段１０５であるタリーランプを点灯する。そしてＳ２０３にすすみ、映像選択状態の時のフォーカス駆動範囲演算係数ＬＩＭ−Ｂを駆動制限量設定手段１１０から読み込み、バッファＬＩＭに設定し、Ｓ５０１にすすむ。Ｓ５０１では、画面領域コントロールデータＡＲＥＡ−ＣＯＮＴの設定を行い、Ｓ２０４へ進む。Ｓ５０１の詳細は後述する。
【００５７】
Ｓ２０４，Ｓ２０５，Ｓ２０６，Ｓ２０７，Ｓ２０８，Ｓ２０９は、図３と同様の処理を行い、本ＡＦ処理を終了する。
【００５８】
（Ｓ５０１  画面領域ＡＲＥＡ−ＣＯＮＴの設定処理フローチャート説明）
図１０は、図９のＡＦ処理フローチャートのＳ５０１画面領域ＡＲＥＡ−ＣＯＮＴ更新の詳細を示したものである。
【００５９】
Ｓ６０１では、映像選択情報送出手段３００であるタリースイッチの状態が非選択状態から映像選択状態へ切り替わったかを判定する。Ｓ６０１において、撮影映像の非選択状態から映像選択状態へ切り替わった場合、Ｓ６０２へすすむ。次にＳ６０２において、不図示のズームレンズ群の位置を示すＺＯＯＭ−ＴＥＭＰにＺＯＯＭ−ＰＯＳの値を格納する。ＺＯＯＭ−ＴＥＭＰは、レンズ装置１００が非選択状態から映像選択状態へ切り替わった時の、不図示のズームレンズ群の位置を記憶させておくためのものである。一方、Ｓ６０１において、映像選択状態から映像選択状態と判定した場合、つまり、映像選択状態が継続している場合は、何も処理せずＳ６０３へ進む。
【００６０】
次にＳ６０３では、画面領域の広さを算出する。まず、演算に必要な画面領域の可変可能なパラメータ（ｂ、Ｋｂ）と可変可能な定数αをロードする。そして、式（１２）および式（１３）を行い、演算後、画面領域の広さ（ａ，Ｋａ）に格納する。式（１２）では、ＺＯＯＭ−ＴＥＭＰとＺＯＯＭ−ＰＯＳの差分を取り、その差分にｂおよびαを乗じたものとｂとの和をａに代入している。
ａ＝ｂ＋ｂ・α（（ＺＯＯＭ−ＴＥＭＰ）−（ＺＯＯＭ−ＰＯＳ））  （１２）
Ｋａ＝ａ・Ｋ    （Ｋ：定数）                                    （１３）
次にＳ６０４において、ＡＲＥＡ−ＣＯＮＴが持つ各パラメータに、Ｓ６０３で演算した結果を設定する。ＡＲＥＡ−ＣＯＮＴの画面領域目標中心座標（Ｘ，Ｙ）には、ＡＲＥＡ−ＰＯＳの（ＰＯＳ−Ｘ，ＰＯＳ−Ｙ）を設定する。また、ＡＲＥＡ−ＣＯＮＴの画面領域広さの目標値（ＳＩＺＥ−ＣＯＮＴ−Ｘ，ＳＩＺＥ−ＣＯＮＴ−Ｙ）には、（ａ，Ｋａ）を設定する。ここで、画面領域の広さを示すパラメータであるａ、Ｋａ、Ａ、ＫＡの関係は以下の式（１４）を満たすものとする。
【００６１】
Ａ≧ａ                                                    （１４）
このように映像選択状態に移行した場合は、画面領域の広さを狭く設定することで、カメラマンの意図する被写体とは別の被写体が画面領域内に存在する確立を低くすることができる。さらに映像選択状態へ移行後に、不図示のズームレンズ群が移動した場合、ズームレンズ群の位置変動量に応じて画面領域の広さを可変とすることにより、例えば、不図示のズームレンズ群をワイド側に移動した時に、画面領域に対する被写体の割合をほぼ同じにすることが可能となる。以上の説明に関して、具体的な例を示す。
【００６２】
図１１は、映像選択状態へ移行する前の撮影画像と画面領域の設定例である。図のように被写体Ａに対し画面領域が設定されている。また、図１２は、映像選択状態移行時の画面領域設定例である。映像選択状態移行時は、図１１の画面領域と比較し、図１２の画面領域の方が狭くなっていることがわかる。これにより、画面領域内に占める被写体の割合は被写体Ｂの方が大きくなり、被写体Ａへ合焦してしまう可能性を低くすることができる。ここで、カメラマンが不図示のズームレンズ群をワイド側に移動させたとする。すると、図１３に示すような、焦点距離変更時の画面領域設定例が得られる。この時、画角が広くなるため、画面領域内に存在する被写体Ｂの面積が少なくなる可能性がある。すると、被写体Ａへ合焦してしまう恐れもある。そこで、図１０に示した画面領域の更新処理が行われることによって、画面領域がさらに狭い領域となり、図１４に示すような効果が得られる。
【００６３】
このようにＡＦモードの時で、映像選択情報送出手段３００であるタリースイッチがＯＮの場合は、映像選択情報送出手段３００であるタリースイッチがＯＦＦの場合よりもフォーカスレンズ１０６の駆動範囲を狭くし、かつ合焦範囲選択手段１０４による画面領域を狭く設定する。これにより、意図しない被写体に合焦することを低減させることができる。よって、本発明を実施することにより、カメラマンが映像選択状態の有無を意識することなく、映像選択状態および非選択状態それぞれに適したオートフォーカス動作を行うことが可能となる。
【００６４】
以上、本発明の好ましい実施例について説明したが、本発明はこれらの実施例に限定されないことはいうまでもなく、その要旨の範囲内で種々の変形及び変更が可能である。
【符号の説明】
【００６５】
１００  レンズ装置
１０１  フォーカス指定手段
１０２  合焦状態検出手段
１０３  ＡＦスイッチ
１０４  合焦範囲設定手段
１０５  映像選択状態表示手段
１０６  フォーカスレンズ
１０７  駆動手段
１０８  位置検出手段
１０９  フォーカス制御手段
１１０  駆動制限量設定手段
２００  カメラ装置
２０１  撮像信号出力手段
３００  映像選択情報送出手段
【図１】
2011091664.tif 000003
【図２】
2011091664.tif 000004
【図３】
2011091664.tif 000005
【図４】
2011091664.tif 000006
【図５】
2011091664.tif 000007
【図６】
2011091664.tif 000008
【図７】
2011091664.tif 000009
【図８】
2011091664.tif 000010
【図９】
2011091664.tif 000011
【図１０】
2011091664.tif 000012
【図１１】
2011091664.tif 000013
【図１２】
2011091664.tif 000014
【図１３】
2011091664.tif 000015
【図１４】
2011091664.tif 000016
【図１５】
2011091664.tif 000017